(57)【特許請求の範囲】
【請求項１】
電子機器の本体側に出し入れ可能のスライド式トレーを備え、このトレーに上記電子機器を操作するためのコントロールパネルが着脱可能にされた電子機器において、
上記コントロールパネルは上記トレーから分離した状態ではその底部に設けた脚部がばね力により立ち上がり、当該コントロールパネルが前傾姿勢にされ使用可能であり、
上記コントロールパネルを上記トレー内に収納した状態では上記脚部が当該トレーの底部に設けた係合手段により係合されて折り畳まれる、
ことを特徴とする電子機器。
【請求項２】
請求項１記載の電子機器において、
上記コントロールパネルは上記トレーとの解除機構を有するロック機構を備えたことを特徴とする電子機器。
【請求項３】
請求項１記載の電子機器において、
上記コントロールパネルは上記トレーへの収納時のガイド機構を備えたことを特徴とする電子機器。
【発明の詳細な説明】
【０００１】
【発明の属する技術分野】
本発明は、ビデオ・テープ・レコーダ（以下、ＶＴＲ装置という）等に使用されて好適な電子機器に関し、詳しくは、ＶＴＲ装置の本体部に対して出し入れ可能のトレーに収納され、さらにトレーに対して着脱することのできるコントロールパネルに係わるものである。
【０００２】
【従来の技術と課題】
従来、ＶＴＲ装置にはこれを操作するための多くの各種のキーが備えられている。これらキーの一部はＶＴＲ装置の前面パネルに備えられているものの、その殆どのキーがコントロールパネル側に配置されている機種が多くある。
【０００３】
このコントロールパネルは、ＶＴＲ装置の前面パネルに対してヒンジ接続され、コントロールパネルの使用に際して回動してコントロールパネルを操作可能にできるようにしたものがあるが、ＶＴＲ装置の前面パネル側に出し入れ可能のトレーを有し、このトレー内にコントロールパネルを収納するようにした構成のものもある。
【０００４】
また、コントロールパネルをトレーから分離してコントロールパネルを独立して使用することができるものもある。このような構成のコントロールパネルは使い勝手が向上できるといった利点があるが、コントロールパネル自体は薄型化しており、しかも、コントロールパネルの使用時は机等の上に平面状態に置いて使用するため、操作性の点について操作しずらいといった問題がある。
【０００５】
また、コントロールパネルがＶＴＲ装置本体と接続コードで接続されて独立している構成のものもあるが、この場合のコントロールパネルはＶＴＲ装置本体内に収納することはできない構成となっている。
【０００６】
本発明は、上述したような課題を解消するためになされたもので、ＶＴＲ装置に対して分離可能なコントロールパネルの使い勝手を向上することのできるようにした電子機器を得ることを目的とする。
【０００７】
【課題を解決するための手段】
上述の目的を達成するため、本発明による電子機器は、電子機器の本体側に出し入れ可能のスライド式トレーを備え、このトレーに電子機器を操作するためのコントロールパネルが着脱可能にされた電子機器において、コントロールパネルはトレーから分離した状態ではその底部に設けた脚部がばね力により立ち上がり、当該コントロールパネルが前傾姿勢にされ使用可能であり、コントロールパネルをトレー内に収納した状態では上記脚部が当該トレーの底部に設けた係合手段により係合されて折り畳まれるようにしたものである。
【０００８】
上述のように構成した本発明の電子機器は、コントロールパネルをトレーから分離した際、コントロールパネル底部の脚部がコイルばねのばね力により立ち上がるため、コントロールパネルを机等の上に置いたとき、パネル面が操作者に対して前傾姿勢状態となり、操作性を高めることができる。
【０００９】
また、コントロールパネルをトレー内に収納すると、トレーの底部に設けた係合手段に脚部が係合して折り畳まれ、コンパクトに収納でき収納スペースの薄型化を図ることができる。
【００１０】
以下、本発明による電子機器の実施例をＶＴＲ装置を例にとって説明する。
【００１１】
図１はＶＴＲ装置を前面パネル側より見た斜視図である。
図１において、ＶＴＲ装置の装置本体を符号１で示す。この装置本体１の前面パネル２の上部中央部にはカセット出し入れ口を有し、通常は扉パネル３により閉止されている。
【００１２】
扉パネル３の下部にはＶＴＲ装置の蛍光表示画面４があり、この蛍光表示画面４の下部にＶＴＲ装置を操作する操作パネルとしてのコントロールパネル５を収納したスライド式のトレー６が収納されている。尚、７は電源パワースイッチであり、８はＶＴＲ装置の一部の操作ボタン系である。
【００１３】
上述したトレー６はコントロールパネル５の前面に備えた操作ボタン９を押し操作することで、前面パネル２からコントロールパネル５と共に電動で引出し式に水平に引き出され、再度、操作ボタン９を押し操作することによって前面パネル２内にコントロールパネル５と共に引き込まれる。
【００１４】
図２はトレー６からコントロールパネル５を分離し、コントロールパネル５の使用状態の斜視図である。
【００１５】
このコントロールパネル５は装置本体１とコード１０を介して接続されており、パネル５面にはジョグ・シャトル１１、録画スタートやストップキー１２、また、ＴＶ／ビデオ切換えキー１３、タイマー予約キー１４等が配置してある。
【００１６】
コントロールパネル５は図示しないがトレー６の収容部６ａ内に収納した状態で操作することも可能である。
【００１７】
図３はコントロールパネル５を机１５等の上に置いた使用状態の側面図であり、コントロールパネル５は底部後方側に設けた一対の脚部１６（他方の脚部は図示してない）が立ち上がり、この脚部１６と底部前方側に設けた座部１７とによってコントロールパネル５のパネル面を操作者に対して前傾姿勢状態にすることができる。
【００１８】
図４はパネル５を底部より見た脚部１６とパネル底部との斜視図であり、図５は脚部１６をパネル底部から分離した斜視図である。
【００１９】
脚部１６の基部には支持軸１８，１８が外方へ突出していると共に、この支持軸１８，１８と同軸的に内方側へ支持突起９，１９が設けられている。この支持突起１９，１９にコイルばね２０の端部が挿入され、コイルばね２０の一端部２０ａが脚部１６の掛止め部１６ａに掛け止めされている。
【００２０】
このように構成した脚部１６はその支持軸１８，１８をパネル５の底部５ａに形成した凹部２１の軸孔２２，２２に支持し、コイルばね２０の図示しない他端部が凹部２１の係合孔２３に掛け止めされている。これによって、脚部１６はコイルばね２０のばね力により立ち上がる方向に付勢され、凹部２１の壁面２１ａに突き当たった状態となる。
【００２１】
また、上述したコントロールパネル５はトレー６の収容部６ａ内に収納された状態でロックされ、コントロールパネル５を取り出すとき解除されるようなロック／解除機構をパネル５の両側部に備えている。
【００２２】
図６にロック／解除機構の断面図を示す。
コントロールパネル５側にはその側部にロック解除操作片を備え、このロック解除操作片２２と一体的に鉤状に折曲した端部に傾斜面２３ａを有するロック片２３を設けている。この部材はばね支持部２４との間に張設した押しばね２５により外側方向へ付勢されている。
【００２３】
また、トレー６側には傾斜状のガイド面２６ａを有する係合孔２６を設けている。
【００２４】
このように構成したロック／解除機構は、図６に示したロック状態から左右のロック解除操作片２２を仮想線で示すように内側に押圧することで、押しばね２５を圧縮してロック片２３が後退し、トレー６の係合孔２６から離脱させロック解除状態となり、この状態のままコントロールパネル５を引き上げれば分離できる。コントロールパネル５側のロック片２３をトレー側の係合孔２６にロックさせるには、ロック片２３を係合孔２６のガイド面２６ａに押し当てた状態で、パネル５をトレー６側へ押し付ければロック片２３の傾斜面２３ａがガイド面２６ａに沿って後退し、その直後にロック片２３が係合孔２６に係合してロック状態となる。
【００２５】
一方、トレー６の収容部６ａの底面にはコントロールパネル５の一対の脚部１６と対応する位置に係合手段としての開口部２７，２７を形成してある。また、収容部６ａの奥側両端部にガイド溝２８，２８を備え、このガイド溝２８，２８にコントロールパネル５の後端両側部に設けたガイド片２９，２９が係合される。
【００２６】
次に、トレー６へのコントロールパネル５の収納手順を図７及び図８について説明する。
【００２７】
まず、コントロールパネル５のガイド片２９，２９をトレー６のガイド溝２８，２８に対応させるようにした状態で図７に示すようにパネル５の立ち上がった状態の脚部１６，１６を収容部６ａの開口部２７，２７内に差し込む（図７参照）。
【００２８】
この状態でコントロールパネル５のガイド片２９，２９をトレー６のガイド溝２８，２８内に押し込みながら、コントロールパネル５をトレー６の収容部６ａ内に収める動作を行うと、図８に示すように開口部２７内に差し込まれていた脚部１６は開口部２７の開口縁部２７ａによって押し戻され、これによって、脚部１６は支持軸１８を回動支点としてコイルばね２０を圧縮し凹部２１内に折り畳まれ、コントロールパネル５の収納状態となる。この際、コントロールパネル５はトレー６にロックされた状態となる。
【００２９】
すなわち、コントロールパネル５のトレー６内への収納状態では、脚部１６が折り畳まれてコンパクトになるためトレー６の収納スペースの薄型化を図ることができる。これと同時にコントロールパネル５はその後端両側部のガイド片２９，２９がトレー６のガイド溝２８，２８に差し込まれると共に、ロック片２３によるトレー６へのロックが行われるためトレー６への収納を安定して行うことができる。
【００３０】
一方、トレー６からコントロールパネル５を分離する手順は、コントロールパネル５の左右のロック解除操作片２２を解除方向へ解除することで、図６で説明したようにトレー６とのロック状態を外し、コントロールパネル５を引き上げながらガイド片２９，２９をガイド溝２８，２８から引き出すことによって分離できる。このとき、コントロールパネル５の脚部１６はコイルばね２０のばね力によって立ち上がり、図３に示したようにコントロールパネル５のパネル面を操作者に対して前傾姿勢状態にして操作することができるため、コントロールパネル５の使い勝手を向上することができる。
【００３１】
本発明は、上述しかつ図面に示した実施例に限定されるものでなく、その要旨を逸脱しない範囲内で種々の変形実施が可能である。
【００３２】
実施例ではＶＴＲ装置のコントロールパネルとして使用した例について説明したが、その他、電子機器のコントロールパネルに広く適用可能である。
【００３３】
【発明の効果】
以上説明したように、本発明の電子機器は、コントロールパネルをトレーから分離した状態ではその底部に設けた脚部がばね力により立ち上がるので、コントロールパネルを独立して使用する際の使い勝手を向上することができるといった効果がある。
【００３４】
また、コントロールパネルがトレー内に収納されると脚部がトレーの底部に設けた係合手段により係合されて折り畳まれるようにしたので、コンパクトに収納でき収納スペースの薄型化を図ることができる。
【図面の簡単な説明】
【図１】本例のＶＴＲ装置の前面パネル部分の斜視図である。
【図２】ＶＴＲ装置本体からコントロールパネルを分離した使用状態の斜視図である。
【図３】コントロールパネルの独立した使用状態の側面図である。
【図４】脚部の斜視図である。
【図５】脚部の分離状態の斜視図である。
【図６】ロック／解除機構の断面図である。
【図７】コントロールパネルのトレーへの収納途中状態の一部側断面図である。
【図８】コントロールパネルのトレーへの収納状態の一部側断面図である。
【符号の説明】
１  ＶＴＲ装置本体
５  コントロールパネル
６  トレー
６ａ  収容部
１６  脚部
１８  支持軸
２０  コイルばね
２１  凹部
２２  ロック解除操作片
２３  ロック片
２６  係合孔
２７  開口部
２８  ガイド溝
２９  ガイド片
【図１】
0003551557.tif 000002
【図２】
0003551557.tif 000003
【図３】
0003551557.tif 000004
【図４】
0003551557.tif 000005
【図５】
0003551557.tif 000006
【図６】
0003551557.tif 000007
【図７】
0003551557.tif 000008
【図８】
0003551557.tif 000009